(57)【要約】      （修正有）【課題】浴室内のミストをベタベタしない、ほどよいミストにすることができるミスト発生装置を提供する。【解決手段】設定温度になるまでは略３００Ｗのヒータと略６００Ｗのヒータでエアー流出口２９に送られる空気を加熱し、ミストが充満する浴室内の空間の温度を早期に設定温度まで上昇させるとともに、設定温度になった後は略３００Ｗのヒータのみでエアー流出口２９に送られる空気が加熱されるので、浴室内のミストがベタベタしたミストにならず、設定温度になった後の浴室内の微細なミストで充満された空間の温度を維持しやすくする。【選択図】図４
2019136488.tif 000002
【特許請求の範囲】
【請求項１】
ミストを発生させる発汗身体洗浄用ミスト発生装置であって、
ミスト排出口が形成されたケース本体と、
該ケース本体内に設けられ、外部から供給された水を収容する水収容部と、
該水収容部内に設けられ、該水収容部内に収容された水を加熱する水加熱ヒータと、
略逆円錐状形状で、側面に螺旋状溝が形成され、上部の半径方向に拡張された拡張部の下面に棒状形状の棒状部が複数形成され、回転することにより、前記水収容部内の前記水加熱ヒータにより加熱された水を側面に形成された螺旋状溝に沿って上昇させ、該棒状部に衝突させることによってミスト化させるミスト化回転体と、
該ミスト化回転体を回転させるモータと、
前記水収容部に収容された水の上部に空気を送るエアー流路と、
前記水収容部の側面に形成され、前記ミスト化回転体の棒状部より下部に位置する前記エアー流路の先端部が前記水収容部底部方向に開口するとともに、該エアー流路の先端部の側面が前記ミスト化回転体の回転方向に開口したエアー流出口と、
該エアー流出口に前記エアー流路を介し空気を送る送風器と、
前記エアー流路内に設けられ、前記エアー流出口に送られる空気を加熱するエアー加熱ヒータと、を有し、
前記エアー流路は、対抗する側壁の距離を徐々に接近させることにより流出方向に向かう流路の横幅を狭くし、対抗する側壁のうち該エアー流路の先端部の側面の前記エアー流出口に向かう方向の側壁の先端を長くするとともに、該側壁の流路の横幅を狭くする角度を大きくすることにより、前記エアー流出口に向かう空気を前記ミスト化回転体の回転方向に向かいやすくし、
前記エアー流出口は、前記エアー流路を介し、前記水収容部底部方向に向けて送られてきた空気を前記水収容部に流出させることにより前記水収容部に収納された水に暖かい空気を含ませるとともに、前記ミスト化回転体の回転方向に向けて送られてきた暖かい空気を前記水収容部に収納された水上方に流出させることにより、大きい粒のミストは該水収容部内に落下し、微細なミストのみが前記ケース本体のミスト排出口から排出されることを特徴とする発汗身体洗浄用ミスト発生装置。
【請求項２】
個室型浴室内にミストを供給することを特徴とする請求項１に記載の発汗身体洗浄用ミスト発生装置。
【発明の詳細な説明】
【技術分野】
【０００１】
本発明は、ミストを発生させる発汗身体洗浄用ミスト発生装置に関する。
【背景技術】
【０００２】
従来より、ミストを発生させるミスト発生装置が知られている。この種のミスト発生機１１９として、図１０に示すように、下部側面にエアー吸引口１０２が形成されるとともに、上部を覆うカバー１０３の中央部に排出口１０４が形成されたケース体１０５と、このケース体１０５内の上部寄りの部位に、外周部にエアー吸引口１０２と連通するエアー通路１０６が形成されるように上部フランジ部１０７がケース体１０５に固定された上部開口の円形状の水収納容器１０８と、この水収納容器１０８のフランジ部１０７に形成された水収納容器１０８の外周部のエアー通路１０６からのエアーを螺旋状に上部へ導く複数個のエアー孔１０９と、カバー１０３の内壁面に一体形成された、水収納容器１０８の内壁面との間に螺旋状で下方へエアーを導く下方エアー通路１１０を形成する筒状のエアーガイド筒１１１と、水収納容器１０８のほぼ中央底面にシール材１１２で密閉状態に固定された駆動軸１１３が上下方向に突出するモータ１１４と、このモータ１１４の下部より突出する駆動軸１１３に取付けられたエアー吸引口１０２よりエアーを吸引し、エアー通路１０６、複数個のエアー孔１０９、下方エアー通路１１０を通過させて排出口１０４より排出させるファン１１５を構成する送風羽根１１６と、水収納容器１０８内に突出する上部の駆動軸１１３に取付けられた、水収納容器１０８内に収納された水を外周部の螺旋状の溝１１７に沿って上方へ移動させ、上部から外方へ飛散させ、飛散された水をくし状の衝突分散体１１８によって、陰イオンを含むミストを発生させるというものであった（たとえば、特許文献１）。ここで、図１０は、従来のミスト発生装置を示す図である。
【先行技術文献】
【特許文献】
【０００３】
【特許文献１】特開２００３−３０７３２７号公報
【発明の概要】
【発明が解決しようとする課題】
【０００４】
しかしながら、従来のミスト発生装置では、水収納容器１０８内に収納された水を外周部の螺旋状の溝１１７に沿って上方へ移動させ、上部から外方へ飛散させ、飛散された水をくし状の衝突分散体１１８によりミストを発生させるものであったので、水分蒸散量が小さく、水分を多く含んだベタベタしたミストを発生させるものであった。このような水分を多く含んだベタベタしたミストでは、そのミストが衣類などに接触すると、すぐに衣類がベタベタになってしまうという問題があった。
【０００５】
本発明は上記問題点に鑑みてなされたもので、微細でベタベタしないほどよいミストを発生させることができる発汗身体洗浄用ミスト発生装置を提供することを目的とする。
【課題を解決するための手段】
【０００６】
上記課題を解決し上記目的を達成するために、本発明のうち第１の態様に係るものは、ミストを発生させる発汗身体洗浄用ミスト発生装置であって、ミスト排出口が形成されたケース本体と、ケース本体内に設けられ、外部から供給された水を収容する水収容部と、水収容部内に設けられ、水収容部内に収容された水を加熱する水加熱ヒータと、略逆円錐状形状で、側面に螺旋状溝が形成され、上部の半径方向に拡張された拡張部の下面に棒状形状の棒状部が複数形成され、回転することにより、水収容部内の水加熱ヒータにより加熱された水を側面に形成された螺旋状溝に沿って上昇させ、棒状部に衝突させることによってミスト化させるミスト化回転体と、ミスト化回転体を回転させるモータと、水収容部に収容された水の上部に空気を送るエアー流路と、水収容部の側面に形成され、ミスト化回転体の棒状部より下部に位置するエアー流路の先端部が水収容部底部方向に開口するとともに、エアー流路の先端部の側面がミスト化回転体の回転方向に開口したエアー流出口と、エアー流出口にエアー流路を介し空気を送る送風器と、エアー流路内に設けられ、エアー流出口に送られる空気を加熱するエアー加熱ヒータと、を有し、エアー流路は、対抗する側壁の距離を徐々に接近させることにより流出方向に向かう流路の横幅を狭くし、対抗する側壁のうちエアー流路の先端部の側面のエアー流出口に向かう方向の側壁の先端を長くするとともに、側壁の流路の横幅を狭くする角度を大きくすることにより、エアー流出口に向かう空気をミスト化回転体の回転方向に向かいやすくし、エアー流出口は、エアー流路を介し、水収容部底部方向に向けて送られてきた空気を水収容部に流出させることにより水収容部に収納された水に暖かい空気を含ませるとともに、ミスト化回転体の回転方向に向けて送られてきた暖かい空気を水収容部に収納された水上方に流出させることにより、大きい粒のミストは水収容部内に落下し、微細なミストのみがケース本体のミスト排出口から排出されることを特徴とすることを特徴とするものである。
【０００７】
本発明によれば、エアー流路内の空気がエアー加熱ヒータにより暖められ、エアー流路を介し水収容部底部方向に向けて送られてきた空気が水収容部底部に向けて水収容部に流出するので、エアー加熱ヒータで加熱された暖かい空気とともにミスト化回転体の側面に形成された螺旋状溝に沿って送られた水がミスト化回転体の棒状部に衝突することにより、水分蒸散量が大きくなり、浴室内のミストをベタベタしないほどよいミストにすることができる。また、エアー流路を介し送られてきた空気がミスト化回転体の棒状部より下部に位置するエアー流路先端部の側面の開口からミスト化回転体の回転方向に向けて水収容部に収容された水上方に送り込まれるので、ミスト化回転体の棒状部に衝突してミスト化されたミストはミスト化回転体の回転方向に向けて水収容部に収容された水上方に送られてきた暖かい空気とともにミスト化回転体の回転力により渦巻状に回転することになる。そして、水収容部に収容された水上方に送られてきた空気とともに渦巻状に回転するミストのうち、大きい粒のミストは水収容部内に落下し、微細な粒のミストのみがケース本体のミスト排出口から排出される。これにより、発汗身体洗浄用ミスト発生装置により発生した粒子径が小さい微細なミストが浴室内に供給されるので、浴室使用者に発汗させて身体を効果的に洗浄することができる。具体的には、発汗身体洗浄用ミスト発生装置により発生したミストは粒子径が３００ｎｍ〜５００ｎｍ（ほとんどが１０００ｎｍ以下）と小さい微細なミストであることから、浴槽使用者が衣類を着用したまま浴室を使用してもミストが衣類を通過することになるので、衣類があまり湿ることがなく浴室使用者に発汗させて身体を効果的に洗浄することができる。
【０００８】
本発明のうち第２の態様に係るものは、第１の態様に係る発汗身体洗浄用ミスト発生装置であって、個室型浴室内にミストを供給するものである。
【発明の効果】
【０００９】
本発明の発汗身体洗浄用ミスト発生装置によれば、浴室内のミストをベタベタしないほどよいミストにすることができるとともに、略設定温度になった後の浴室内の微細なミストで充満された空間の温度を維持しやすくすることができる。
【図面の簡単な説明】
【００１０】
【図１】（ａ）本発明の一実施形態における発汗身体洗浄用ミスト発生装置の前方外観斜視図である。（ｂ）同発汗身体洗浄用ミスト発生装置の後方外観斜視図である。
【図２】（ａ）同発汗身体洗浄用ミスト発生装置の上面図である。（ｂ）同発汗身体洗浄用ミスト発生装置の前方部を示す図である。
【図３】同発汗身体洗浄用ミスト発生装置の本体ケースの密閉蓋および後面板を取り外した状態を示す後方斜視図である。
【図４】図２（ａ）のＡ−Ａ断面図である。
【図５】図４のＢ−Ｂ断面図である。
【図６】図４のＣ−Ｃ断面図である。
【図７】本発明の一実施形態における発汗身体洗浄用ミスト発生装置のリモコン操作盤を示す図である。
【図８】（ａ）同発汗身体洗浄用ミスト発生装置のミスト化回転体とモータの組立説明図である。（ｂ）同発汗身体洗浄用ミスト発生装置のミスト発生状態を示す図である。
【図９】本発明の一実施形態における発汗身体洗浄用ミスト発生装置を個室型浴室に使用した使用態様を示す図である。
【図１０】従来のミスト発生装置を示す図である。
【発明を実施するための形態】
【００１１】
以下、本発明にかかる発汗身体洗浄用ミスト発生装置の一実施形態について図面を参照にしながら説明する。ここで、図１（ａ）は本発明の一実施形態における発汗身体洗浄用ミスト発生装置の前方外観斜視図であり、図１（ｂ）は同発汗身体洗浄用ミスト発生装置の後方外観斜視図であり、図２（ａ）は同発汗身体洗浄用ミスト発生装置の上面図であり、図２（ｂ）は同発汗身体洗浄用ミスト発生装置の前方部を示す図である。
【００１２】
発汗身体洗浄用ミスト発生装置１は四角形状のケース本体２を外枠としている。このケース本体２の上部にはミスト排出口３が形成された密閉蓋４が設けられ、後部にはエアー流入口５が形成されるとともに、右側部にはエアー換気口６ａおよびエアー換気ファン７、左側部にはエアー換気口６ｂが設けられている。そして、このエアー流入口５から後述するエアー流路１５（図４参照）を介しケース本体２内に空気が流入する。また、ケース本体２の前部にはリモコン操作盤８（リモコン操作器）が設けれ、ケース本体２の左側部には給水タンク９の水を発汗身体洗浄用ミスト発生装置１内に供給する給水パイプ１０、および温度を測定する温度センサ１１がそれぞれ設けられている。さらに、ケース本体２の右側部には、後述する水収容部１３内の水を排出する水収容部水排出コック３２が設けられているともに、電源コード１７が設けられている。
【００１３】
次に、発汗身体洗浄用ミスト発生装置１に備えられた各機器について図３〜図６を参照しながら説明する。ここで、図３は本発明の一実施形態における発汗身体洗浄用ミスト発生装置の本体ケースの密閉蓋および後面板を取り外した状態を示す後方斜視図であり、図４は図２（ａ）のＡ−Ａ断面図であり、図５は図４のＢ−Ｂ断面図であり、図６は図４のＣ−Ｃ断面図である。ここで、図５の点線部はミスト排出口３の立体形状を表示するための補助線である。なお、図３〜図６においては、説明の便宜上、一部の機器を省略して図示している。
【００１４】
図３〜図６に示すように、発汗身体洗浄用ミスト発生装置１には、水収容部１３と、給水ポンプ１８と、水加熱ヒータ１９と、上限水位センサ２０と、下限水位センサ２１と、ミスト化回転体２２と、モータ２３と、送風器２５と、エアー加熱ヒータ２６、２７と、エアー換気ファン７、電子基板２８とを有している。
【００１５】
水収容部１３は、外部から供給された水を収容するもので、上部が開口する容器形状している。具体的には、外部に備えられた給水タンク９に収容されている水を給水ポンプ１８の駆動力により、給水パイプ１０を介し、水収容部１３の左側から水収容部１３内に収容される。水収容部１３の右側部には、水収容部１３内に空気を送り込むエアー流出口２９（図４参照）が設けられている。このエアー流出口２９には、送風器２５の駆動力により、ケース本体２の後部のエアー流入口５からケース本体２に流入した空気がエアー流路１５を介し送られ、そして、エアー流出口２９から水収容部１３内に送られる。ここで、このエアー流出口２９は、エアー流路１５を介し送られてきた空気が後述するミスト化回転体２２の回転方向に向かうようにミスト化回転体２２の回転方向側に開口部が形成されている。また、エアー流出口２９の外の水収容部１３には、ミスト化回転体２２の回転方向に送り出された空気の方向、つまり、ミスト化回転体２２の円周上の略接線方向に空気案内壁２９ａが形成されている。具体的には、図５に示すように、エアー流路１５は、水収容部１３への流入口２９ｂから流出方向に向かって流路の横幅が狭くなり、さらに、エアー流路１５の一方のエアー流路内空気案内側壁２９ｃをエアー流出口２９に向かう方向に長くし、エアー流出口２９に向かう空気がミスト化回転体２２の回転方向に向かいやすくしている。そして、エアー流路１５は流路の横幅を狭くしたところから下部方向に形成され、その下部にエアー流路１５を介し送られてきた空気がミスト化回転体２２の回転方向に向かう側にエアー流出口２９が形成されている。このように形成されているので、エアー流出口２９から水収容部１３に送り出された空気は、ミスト化回転体２２の回転方向に向かう方向に送り出されることになる。また、水収容部１３の右側底面（図４では左側底面）には、水収容部水排出口３０が形成されている。この水収容部水排出口３０は、水収容部水排出パイプ１４を介し水収容部水排出コック３２に接続されている。このように、水収容部１３内の水を排出するときは、水収容部水排出コック３２を回転させることにより、水収容部１３内の水が水収容部水排出口３０から水収容部水排出パイプ１４を介し排出される。
【００１６】
水加熱ヒータ１９は、水収容部１３内に収容された水を加熱するヒータである。この水加熱ヒータ１９は、出力が３００Ｗのヒータで、水収容部１３の左側下部（図４では右側下部）下部に備えられている。ここで、水加熱ヒータ１９は、水加熱ヒータ１９という名称であるが、水を加熱すれば温水になり、その温水になった後においても加熱するものである。この水加熱ヒータ１９は、後述する運転入切スイッチ３１が押圧されることによりＯＮ状態になり、水加熱ヒータ１９がＯＮ状態で運転入切スイッチ３１が押圧されることによりＯＦＦになる。
【００１７】
上限水位センサ２０は、水収容部１３内の水が上限水位以上になったことを検知するセンサである。この上限水位センサ２０により水収容部１３内の水が上限水位になったことが検知されると、給水タンク９から水収容部１３への水の供給が停止される。
【００１８】
下限水位センサ２１は、水収容部１３内の水が下限水位以下になったことを検知するセンサである。この下限水位センサ２１により水収容部１３内の水が下限水位以下になったことが検知されると、給水タンク９から水が水収容部１３に供給される。
【００１９】
ミスト化回転体２２は、略逆円錐状形状で、側面に螺旋状溝１６（図８（ａ）参照）が形成され、上部の半径方向に拡張された拡張部２４の下面に棒状形状の棒状部１２が円周方向等間隔に複数形成されている。この棒状部１２は円周方向に３列形成され、２列目（真ん中の列）の棒状部１２は、１列目の棒状部１２および３列目の棒状部１２より短く形成されているとともに、１列目の個々の棒状部１２および３列目の個々の棒状部１２の中間位置になるよう円周方向にずらして形成されている。また、ミスト化回転体２２は、モータ２３の回転軸２３ａを中心の空間部に挿入し、上部から締付キャップ２２ａにより締め付けることによって設置される（図８（ａ）参照）。そして、ミスト化回転体２２は、モータ２３の回転軸２３ａを回転させることにより、回転することができる。なお、本実施形態では、棒状部１２を円周方向に３列形成させたが、これに限らず、円周上３列から７列（好ましくは、円周上３列から５列）形成されるようにしてもよい。
【００２０】
送風器２５は、ケース本体２の後部に形成されたエアー流入口５のケース本体２側に設けられた送風ファンを用いている。この送風器２５によりケース本体２の後部に形成されたエアー流入口５からエアー流路１５を介し水収容部１３の右側（図４では左側）のエアー流出口２９に空気が送られる。なお、本実施形態では、送風器２５としてシロッコファンを用いたが、これに限らず、送風ファン以外の送風器であってもよい。
【００２１】
エアー加熱ヒータ２６、２７は、ケース本体２の後部に形成されたエアー流入口５と水収容部１３の右側(図４では左側)のエアー流出口２９の間の水収容部１３側面のエアー流路１５に設けられ、エアー流出口２９に送られる空気を加熱するヒータである。このエアー流路１５の後部（図４では前部）のエアー加熱ヒータ２６として出力が３００Ｗのヒータを用いられ、エアー流路１５の前部（図４では後部）のエアー加熱ヒータ２７は出力が６００Ｗのヒータを用いている。なお、本実施形態では、３００Ｗと６００Ｗのエアー加熱ヒータを用いたが、厳密に３００Ｗと６００Ｗである必要はなく、その意味で略３００Ｗと略６００Ｗのエアー加熱ヒータであればよい。
【００２２】
エアー換気ファン７は、ケース本体２内を冷却させるためにケース本体２内に空気を吸気するものである。ケース本体２内は水加熱ヒータ１９やエアー加熱ヒータ２６、２７などにより温度が上昇するが、エアー換気ファン７のよりケース本体２の温度が高くならないようにすることができる。また、エアー換気ファン７は、ケース本体２内の電子基板２８も冷却させる。ここで、電子基板２８は、本体ケース２の後面板を取り外すことにより、外部から見ることができる（図３参照）。
【００２３】
次に、発汗身体洗浄用ミスト発生装置１のリモコン操作盤８について説明する。ここで、図７は本発明の一実施形態における発汗身体洗浄用ミスト発生装置のリモコン操作盤を示す図である。
【００２４】
リモコン操作盤８は、運転入切スイッチ３１、設定温度表示部３３、温度上昇スイッチ３４、温度下降スイッチ３５、ブザー停止スイッチ３６、電源表示部３７、ミスト運転中表示部３８、クールダウン中表示部３９、入室ＯＫ表示部４０、温度表示部４１を有している。
【００２５】
運転入切スイッチ３１は、発汗身体洗浄用ミスト発生装置１の運転ＯＮ／ＯＦＦスイッチであり、運転入切スイッチ３１が押圧されることにより発汗身体洗浄用ミスト発生装置１の運転が開始され、運転が開始された状態で運転入切スイッチ３１が押圧されることにより発汗身体洗浄用ミスト発生装置１の運転が停止状態になる。設定温度表示部３３は、後述する個室型浴室（浴室）５２内の設定温度を表示するもので、３８度、４０度、４２度、４５度のいずれかの温度が設定されると、その上部のランプが点灯する。温度上昇スイッチ３４は、設定温度を上昇させるためのスイッチであり、温度上昇スイッチ３４が押圧されることにより設定温度表示部３３の３８度、４０度、４２度、４５度の設定温度が一つ上昇し、一つ上昇した設定温度の上部のランプが点灯する。温度下降スイッチ３５は、設定温度を下降させるためのスイッチであり、温度下降スイッチ３５が押圧されることにより設定温度表示部３３の３８度、４０度、４２度、４５度の設定温度が一つ下降し、一つ下降した設定温度の上部のランプが点灯する。温度表示部４１は、個室型浴室５２内の温度を表示させるもので、具体的には、温度センサ１１により検知された温度が表示される。ブザー停止スイッチ３６は、ブザーを停止させるためのスイッチである。具体的には、温度表示部４１に表示された温度が設定温度になるとブザーが鳴り、そのブザーを停止させるためのスイッチである。電源表示部３７は、発汗身体洗浄用ミスト発生装置１の電源がオンになっているときに点灯する。具体的は、電源コード１７をコンセントに挿し込むことにより電源表示部３７が点灯する。ミスト運転中表示部３８は、ミスト運転が実行されているときに点灯する。具体的には、運転入切スイッチ３１が押圧されることによりミスト運転が開始されるのでミスト運転中表示部３８が点灯し、ミスト運転が開始された状態で運転入切スイッチ３１が押圧されることによりミスト運転が停止するのでミスト運転中表示部３８が消灯する。クールダウン中表示部３９は、ミスト運転が開始された状態で運転入切スイッチ３１が押圧された後１０分間点灯する表示部である。入室ＯＫ表示部４０は、温度表示部４１に表示された温度が設定温度になったときに点滅する表示部である。この入室ＯＫ表示部４０が点灯することにより、使用者は、個室型浴室５２内に快適に入室することができるタイミングを知ることができる。
【００２６】
次に、水収容部１３に装着されたミスト化回転体２２について説明する。ここで、図８（ａ）は本発明の一実施形態における発汗身体洗浄用ミスト発生装置のミスト化回転体とモータの組立説明図であり、図８（ｂ）は同発汗身体洗浄用ミスト発生装置のミスト発生状態を示す図である。
【００２７】
ミスト化回転体２２は、上述したように、水収容部１３内に設けられ、横断面形状が下部から上部に向かい大きく形成された略逆円錐状形状をしている。また、ミスト化回転体２２の側面には螺旋状溝１６が形成され、その略逆円錐状形状の上部は半径方向に拡張された略円形形状の拡張部２４が形成され、その拡張部２４の下面には棒状形状の棒状部１２が複数形成されている。また、ミスト化回転体２２は、上述したように、モータ２３の回転軸２３ａを中心の空間部に挿入し、上部から締付キャップ２２ａにより締め付けることによって設置される。そして、ミスト化回転体２２は、モータ２３の駆動力によって回転させることにより、水収容部１３内の水加熱ヒータ１９により加熱された水をミスト化回転体２２の側面に形成された螺旋状溝１６に沿って上昇させ、棒状部１２に衝突させることによってミスト化されるとともに、棒状部１２に衝突させた後においても水収容部１３の内側壁に衝突することによってもミスト化される。このように、多くのミストを発生させミスト化率を向上させることができる（図８（ｂ）参照）。
【００２８】
次に、発汗身体洗浄用ミスト発生装置１を個室型浴室５２に使用した使用形態について説明する。ここで、図９は、本発明の一実施形態における発汗身体洗浄用ミスト発生装置を個室型浴室に使用した使用態様を示す図である。
【００２９】
個室型浴室５２は、アルミニウムパイプを材質とする折り畳み可能な骨組フレーム５０で支持され、そのアルミニウムパイプの周りをビニール製の浴室カバー５１で覆っている。このように、本実施形態における個室型浴室５２は、軽量でコンパクトな構造であるので容易に持ち運びすることができる。また、浴室カバー５１は、カバー前面４２（浴室カバー５１の前面部）が上部と結合し、カバー前面４２を上下させることができる。このような構造であるので、浴室使用者４３は車椅子に乗りながら個室型浴室５２を使用することもできる。以下、発汗身体洗浄用ミスト発生装置１を個室型浴室５２に使用した場合の使用態様について、具体的に説明する。なお、本実施形態では、浴室使用者４３に付添人が付いて車椅子に乗りながら個室型浴室５２を使用する場合について説明するが、身体健全な浴室使用者４３が一人で使用することもできる。
【００３０】
発汗身体洗浄用ミスト発生装置１を個室型浴室５２に使用する準備として、発汗身体洗浄用ミスト発生装置１上部のミスト排出口３と個室型浴室５２の左側上部に設けられたミスト流入孔４４とを浴室ミスト流入パイプ４５により結合するとともに、発汗身体洗浄用ミスト発生装置１後部のエアー流入口５と個室型浴室５２の左側下部に設けられたエアー流出孔４６とをエアー流出パイプ４７により結合する。これにより、個室型浴室５２内の空気を発汗身体洗浄用ミスト発生装置１に送り込み、そして、発汗身体洗浄用ミスト発生装置１により発生したミストを個室型浴室５２に流入させることができる。また、温度センサ１１も個室型浴室５２内に入れる。これにより、個室型浴室５２内の温度を測定することができる。
【００３１】
浴室使用者４３が個室型浴室５２を使用する際には、浴室カバー５１のカバー前面４２を持ち上げてカバー前面４２を個室型浴室５２の上面に載せる（図９（ａ）参照）。このようにすることにより、個室型浴室５２の前面が開口する。そして、浴室使用者４３は開口した個室型浴室５２の前方部から個室型浴室５２の中に入る。次に、個室型浴室５２の中に入った浴室使用者４３の肩上部の空間と肩下部の空間を分離させる仕切り板４８を個室型浴室５２のアルミニウムパイプの骨組フレーム５０に係止させて浴室使用者４３の肩の上部に載置し、浴室使用者４３の肩上部の空間と肩下部の空間を分離させる（図９（ｂ）参照）。これにより、浴室使用者４３の仕切り板４８下部の空間のみにミストを循環させることができる。そして、仕切り板４８を使用者の肩の上に載置した後は、浴室カバー５１のカバー前面４２の両側部と下部を面ファスナーにより接合して、個室型浴室５２の仕切り板４８下部の空間を密閉させる（図９（ｃ）参照）。
【００３２】
次に、発汗身体洗浄用ミスト発生装置１のリモコン操作盤８の温度上昇スイッチ３４、温度下降スイッチ３５を押圧することにより、温度表示部４１に点灯する温度センサ１１により検知される個室型浴室５２内の設定温度を設定する。
【００３３】
次に、発汗身体洗浄用ミスト発生装置１のリモコン操作盤８の運転入切スイッチ３１を押圧する。これにより、給水ポンプ１８が駆動し、給水タンク９から給水パイプ１０を介し水収容部１３の左側（図４では右側）から水収容部１３内に給水される。そして、水収容部１３に収容されている水が、上限水位センサ２０により上限水位になったことが検知されると、水収容部１３への水の供給が停止され、水加熱ヒータ１９（３００Ｗ出力）がオンになるとともに、３００Ｗと６００Ｗの２つのエアー加熱ヒータ２６、２７がオンになり、エアー流出口２９から水収容部１３内に空気が送られ、モータ２３によりミスト化回転体２２が回転駆動する。そして、ミスト化回転体２２が回転することにより、水収容部１３内の水加熱ヒータ１９により加熱された水がミスト化回転体２２の側面に形成された螺旋状溝１６に沿って上昇し、棒状部１２に衝突することによってミスト化させることができるとともに、棒状部１２に衝突させた後に水収容部１３の内側壁に衝突することによってもミスト化させることができる。これにより、ケース本体２上部のミスト排出口３からミストが放出される。なお、水加熱ヒータ１９およびエアー加熱ヒータ２６、２７がオンになった直後は個室型浴室５２の下部のミストが充満する空間の温度および水収容部１３内の水の温度は低いが、水加熱ヒータ１９により水収容部１３内の水が加熱されるとともに、３００Ｗと６００Ｗの２つのエアー加熱ヒータ２６、２７により空気が加熱されるので、短時間でミスト化回転体２２上部の棒状部１２と衝突する水の温度および水収容部１３に送られる空気の温度が高くなり、ケース本体２上部のミスト排出口３からミストが放出されることになる。
【００３４】
個室型浴室５２の下部のミストが充満する空間の温度が設定温度になったことが温度センサ１１により検知されると、６００Ｗのエアー加熱ヒータ２７がオフになり、３００Ｗのエアー加熱ヒータ２６で水収容部１３に送り出される空気が加熱される。このように、リモコン操作盤８により設定された設定温度になるまでは３００Ｗのヒータと６００Ｗのヒータでエアー流出口２９に送られる空気が加熱されるので、ミストが充満する個室型浴室５２の下部のミストが充満する空間の温度を早期に設定温度まで上昇させることができる。また、設定温度になった後は３００Ｗのヒータのみでエアー流出口２９に送られる空気が加熱されるので、水収納部１３内に収納された水を外周部の螺旋状溝１６に沿って略３００Ｗのヒータで加熱された空気とともに上昇させ、上部から外方へ飛散された水をミスト化回転体２２の棒状部１２に衝突させてミスト化することができる。このように、３００Ｗのヒータで加熱された暖かい空気とともに送られた水をミスト化回転体２２の棒状部１２に衝突させるので、水分蒸散量が大きくなり、個室型浴室５２内のミストをベタベタしないほどよいミストにすることができるとともに、設定温度になった後の個室型浴室５２内の微細なミストで充満された空間の温度を維持しやすくすることができる。また、個室型浴室５２の仕切り板４８上部の側面には浴室側面窓４９が設けられているので、個室型浴室５２を使用中でも、浴室側面窓４９を開けて顔部分に外気の涼しい空気を流すことができる。なお、本実施形態では、個室型浴室５２の下部の空間の温度が設定温度になれば６００Ｗのエアー加熱ヒータ２７がオフにされると説明したが、必ずしも設定温度である必要はなく、個室型浴室５２の下部の空間の温度が略設定温度になれば６００Ｗのエアー加熱ヒータ２７をオフにするようにしてもよい。
【００３５】
そして、個室型浴室５２の使用終了後は、個室型浴室５２前面の面ファスナーを外し、浴室カバー５１のカバー前面４２を上げて個室型浴室５２の上面に載せ、仕切り板４８を外して、個室型浴室５２内部の浴室使用者４３を個室型浴室５２の外部に移動させる。
【００３６】
上記のように、エアー流出口２９からエアー流路１５を介し送られてきた空気がミスト化回転体２２の回転方向に向けて水収容部１３に送り込まれるので、ミスト化回転体２２の棒状部１２に衝突してミスト化されたミストは水収容部１３に送られてきた空気とともにミスト化回転体２２の回転力により渦巻状に回転することになる。そして、水収容部１３に送られてきた空気とともに渦巻状に回転するミストのうち、大きい粒のミストは水収容部１３内に落下し、微細なミストのみがケース本体２のミスト排出口３から排出される。これにより、発汗身体洗浄用ミスト発生装置１により発生した粒子径が小さい微細なミストが個室型浴室５２内に供給されるので、浴室使用者４３に発汗させて身体を効果的に洗浄することができる。具体的には、発汗身体洗浄用ミスト発生装置１により発生したミストは粒子径が３００ｎｍ〜５００ｎｍ（ほとんどが１０００ｎｍ以下）と小さい微細なミストであることから、浴槽使用者５３が衣類を着用したまま個室型浴室５２を使用してもミストが衣類を通過することになるので、衣類があまり湿ることがなく浴室使用者４３に発汗させて身体を効果的に洗浄することができる。
【００３７】
なお、今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【００３８】
１    発汗身体洗浄用ミスト発生装置
２    ケース本体
３    ミスト排出口
４    密閉蓋
５    エアー流入口
６ａ  エアー換気口
６ｂ  エアー換気口
７    エアー換気ファン
８    リモコン操作盤
９    給水タンク
１０  給水パイプ
１１  温度センサ
１２  棒状部
１３  水収容部
１４  水収容部水排出パイプ
１５  エアー流路
１６  螺旋状溝
１７  電源コード
１８  給水ポンプ
１９  水加熱ヒータ
２０  上限水位センサ
２１  下限水位センサ
２２  ミスト化回転体
２２ａ  締付キャップ
２３  モータ
２３ａ  回転軸
２４  拡張部
２５  送風器
２６  エアー加熱ヒータ
２７  エアー加熱ヒータ
２８  電子基板
２９  エアー流出口
２９ａ  空気案内壁
２９ｂ  流入口
２９ｃ  エアー流路内空気案内側壁
３０  水収容部水排出口
３１  運転入切スイッチ
３２  水収容部水排出コック
３３  設定温度表示部
３４  温度上昇スイッチ
３５  温度下降スイッチ
３６  ブザー停止スイッチ
３７  電源表示部
３８  ミスト運転中表示部
３９  クールダウン中表示部
４０  入室ＯＫ表示部
４１  温度表示部
４２  カバー前面
４３  浴室使用者
４４  ミスト流入孔
４５  浴室ミスト流入パイプ
４６  エアー流出孔
４７  エアー流出パイプ
４８  仕切り板
４９  浴室側面窓
５０  骨組フレーム
５１  浴室カバー
５２  個室型浴室
【図１】
2019136488.tif 000003
【図２】
2019136488.tif 000004
【図３】
2019136488.tif 000005
【図４】
2019136488.tif 000006
【図５】
2019136488.tif 000007
【図６】
2019136488.tif 000008
【図７】
2019136488.tif 000009
【図８】
2019136488.tif 000010
【図９】
2019136488.tif 000011
【図１０】
2019136488.tif 000012